(57)【特許請求の範囲】
【請求項１】
正面の窓部に光透過性を有する保護板が設置され背側外周部に第１係合部を有する第１筐体と、
正面外周部に前記第１係合部に相対変位可能に係合する第２係合部を有し前記第１筐体の背側に係合する第２筐体と、
前記保護板の背面に設置され自身のタッチされた平面位置を検出する光透過性のタッチパネルと、
前記タッチパネルの背面に設置されタッチして選択すべき平面位置を表示する表示パネルと、
前記第１筐体の背側中央部又は前記第２筐体の正面中央部に設置され、押圧時にクリック感を生じさせるとともに電気信号を出力する１つのタクトスイッチと、
前記第２筐体の正面中央部又は前記第１筐体の背側中央部に設けられたスイッチ押圧部と、
を備えることを特徴とする携帯電子機器。
【発明の詳細な説明】
【技術分野】
【０００１】
本発明は、携帯電子機器に関するものである。
【背景技術】
【０００２】
携帯電話やリモコン等の携帯電子機器の入力装置としてタッチパネルが用いられている。タッチパネルは、ＬＣＤのような表示パネルと組合わせて、表示パネルに表示された位置やメニューに触れる選択操作により入力を行なうことができ、直感的に操作を行なうことができる入力装置である。
【０００３】
その反面、タッチパネル自体は、タッチされたときに、指に物理的なクリック感を発生させることができないので、これを補うべく、物理的なクリック感が得られるようなタクトスイッチと組合わせて使用する技術が提案されている。
【０００４】
例えば、従来、タクトスイッチをタッチパネルの上端や下端、もしくは四隅に配置して、タッチパネルを押下すると同時にタクトスイッチが押下され、クリック感が得られるものがある（例えば、特許文献１参照）。
【０００５】
これらのタッチパネルとタクトスイッチの組合わせ構造は、タッチパネルを押下しタクトスイッチを作動させると、タッチパネルが傾いて、タッチパネルの周囲とタッチパネルの保持筐体との間に隙間が発生する構造となっている（例えば、特許文献２参照）。
【０００６】
【特許文献１】特開２００６−３２３４５７号公報（第３〜５頁、図１〜２）
【特許文献２】特開平２−２１２９１２号公報（第２〜３頁、図４〜７）
【発明の開示】
【発明が解決しようとする課題】
【０００７】
上記従来のタッチパネルとタクトスイッチの組合せ構造では、タクトスイッチをタッチパネルの上端や下端、もしくは四隅に配置するので、タッチパネルを押す位置によって感触が異なるという問題があった。例えば、タクトスイッチをタッチパネル上端に配置したものは、タッチパネル上端付近を押したときはクリック感を強く感じるが、下端付近を押したときは弱く感じる。
【０００８】
また、タクトスイッチをタッチパネルの上端と下端、もしくは四隅等、複数個配置したものでは、タッチパネル中央付近を押すと複数個のタクトスイッチが動作し、複数のクリック感が発生し、単一のクリック感とは異なる感触となり感触が悪い。
【０００９】
また、上記従来の組合せ構造では、タッチパネルを押下しタクトスイッチを作動させると、タッチパネルが傾いてタッチパネルの周囲とタッチパネルの保持筐体との間に隙間が発生し、意匠的な価値を損ねたり、隙間から異物が進入して機器にトラブルが発生する恐れがある。
【００１０】
本発明は、上記に鑑みてなされたものであって、タッチパネル面のどの位置を押しても感触がほぼ同じで単一のクリック感が得られるとともに、タッチパネル押下時の筐体との隙間を目立たなくし、隙間からの異物進入を防止する携帯電子機器を得ることを目的とする。
【課題を解決するための手段】
【００１１】
上述した課題を解決し、目的を達成するために、本発明は、正面の窓部に光透過性を有する保護板が設置され背側外周部に第１係合部を有する第１筐体と、正面外周部に前記第１係合部に相対変位可能に係合する第２係合部を有し前記第１筐体の背側に係合する第２筐体と、前記保護板の背面に設置され自身のタッチされた平面位置を検出する光透過性のタッチパネルと、前記タッチパネルの背面に設置されタッチして選択すべき平面位置を表示する表示パネルと、前記第１筐体の背側中央部又は前記第２筐体の正面中央部に設置され、押圧時にクリック感を生じさせるとともに電気信号を出力する１つのタクトスイッチと、前記第２筐体の正面中央部又は前記第１筐体の背側中央部に設けられたスイッチ押圧部と、を備えることを特徴とする。
【発明の効果】
【００１２】
この発明によれば、タッチパネル面のどの位置を押しても感触がほぼ同じで単一のクリック感が得られるとともに、タッチパネル押下時に筐体との間に隙間ができないようにし、隙間からの異物進入を防止することができる、という効果を奏する。
【発明を実施するための最良の形態】
【００１３】
以下に、本発明にかかる携帯電子機器の実施の形態を図面に基づいて詳細に説明する。なお、この実施の形態によりこの発明が限定されるものではない。
【００１４】
実施の形態１．
図１は、本発明にかかる携帯電子機器の実施の形態１を示す縦断面図であり、図２は、実施の形態１の携帯電子機器のタッチパネルが押圧された状態を示す縦断面図である。図１に示すように、実施の形態１の携帯電子機器１００の第１筐体４は、薄形直方体状に形成され、正面に長方形の窓部４ｂが形成され、背側外周部に、第１係合部としての内フランジ４ａを有するスカート部４ｃが形成されている。窓部４ｂには、光透過性を有する保護板４ｄが嵌め込まれて設置されている。
【００１５】
保護板４ｄの背面には、静電容量変化又は感圧等により、自身のタッチされた平面位置を検出する光透過性のタッチパネル１が設置されている。タッチパネル１の背面には、タッチして選択すべきメニュー等の平面位置を表示する表示パネル２が設置されている。また、表示パネル２の背面側であって第１筐体４の背板４ｅの内側には、タクトスイッチ３を実装する回路基盤６が設置されている。
【００１６】
回路基板６の背面側であって第１筐体４の背側中央部には、背板４ｅに設けられた孔から突出するように、押圧時にクリック感を生じさせるとともに押圧されたことを示す電気信号を出力する１つのタクトスイッチが設置されている。第１筐体４は、タッチパネル１、表示パネル２及びタクトスイッチ３を一体に保持している。
【００１７】
第２筐体５は、第１筐体４と略同一形状に形成され、正面外周部に、第２係合部としての外フランジ５ａを有するスカート部５ｂが形成されている。第１筐体４の内フランジ４ａと第２筐体５の外フランジ５ａとは、相対変位可能であり、第２筐体５は、第１筺体４の背側に係合している。第２筐体５が第１筺体４の背側に係合した状態で、タクトスイッチ３の押し子３ａが、第２筐体５の正面中央部に設けられたスイッチ押圧部５ｃと接触するようにする。
【００１８】
次に、実施の形態１の携帯電子機器１００の作用動作について説明する。図２に示すように、使用者が、保護板１を介してタッチパネル１の任意の平面位置を押下すると、タッチパネル１が、静電容量変化又は感圧等を読み取り、使用者が選択した平面位置やメニューを検出して表示パネル２に表示する。
【００１９】
使用者が、選択した平面位置やメニューが正しいと認識し、さらに、タッチパネルを押下すると、タッチパネル１、表示パネル２及びタクトスイッチ３を一体に保持する第１筐体４が、第２筐体５に対して相対変位し、タクトスイッチ３の押し子３ａ押下されてクリック感を発生させるとともに、電気信号を出力して選択位置もしくはメニューが決定される。
【００２０】
以上の動作がなされるとき、タクトスイッチ３が、タッチパネル１及び表示パネル２の中央部に１個配置されているので、タッチパネル１の周辺部や中央部等いずれの平面位置を押下したときも、クリック感の変化が少なく、略同一のクリック感が得られる。
【００２１】
また、タッチパネル１、表示パネル２及びタクトスイッチ３は、第１筐体４により一体に保持され、第２筐体５の正面外周部に形成された外フランジ５ａと第１筺体４の背側外周部に形成された内フランジ４ａとが係合しているため、発生する隙間７は、携帯電子機器１００の側面部となり、意匠上、目立ち難く、また、隙間からの異物の進入し難い構造となっている。
【００２２】
実施の形態２．
図３は、本発明にかかる携帯電子機器の実施の形態２を示す縦断面図である。実施の形態１の携帯電子機器１００では、タクトスイッチ３を第１筐体４で保持するようにしたが、回路基板６の配置上の制約条件によっては、図３に示すように、タクトスイッチ３を、第２筐体５で保持するようにし、第１筺体４の背板４ｅの中央部に設けられたスイッチ押圧部４ｆにより、タクトスイッチ３を押圧するようにしてもよい。
【００２３】
次に、実施の形態２の携帯電子機器２００の作用動作について説明する。図３に示すように、使用者が、保護板１を介してタッチパネル１の任意の平面位置を押下すると、タッチパネル１が、静電容量変化又は感圧等を読み取り、使用者が選択した平面位置やメニューを検出して表示パネル２に表示する。
【００２４】
使用者が、選択した平面位置やメニューが正しいと認識し、さらに、タッチパネルを押下すると、タッチパネル１、表示パネル２及びタクトスイッチ３を一体に保持する第１筐体４が、第２筐体５に対して相対変位し、タクトスイッチ３の押し子３ａが押下されてクリック感を発生させるとともに、電気信号を出力して選択位置もしくはメニューが決定される。以上の動作の際のタッチパネル１の押下感触と動作時の隙間７は実施の形態１の携帯電子機器１００と同様である。
【産業上の利用可能性】
【００２５】
以上のように、本発明にかかる携帯電子機器は、操作性が良く、有用である。
【図面の簡単な説明】
【００２６】
【図１】本発明にかかる携帯電子機器の実施の形態１を示す縦断面図である。
【図２】実施の形態１の携帯電子機器のタッチパネルが押圧された状態を示す縦断面図である。
【図３】本発明にかかる携帯電子機器の実施の形態２を示す縦断面図である。
【符号の説明】
【００２７】
１  タッチパネル
２  表示パネル
３  タクトスイッチ
４  第１筺体
４ａ  内フランジ（第１係合部）
４ｂ  窓部
４ｃ  スカート部
４ｄ  保護板
４ｅ  背板
４ｆ  スイッチ押圧部
５  第２筐体
５ａ  外フランジ
５ｂ  スカート部
５ｃ  スイッチ押圧部
６  回路基板
７  隙間
【図１】
0005057937.tif 000002
【図２】
0005057937.tif 000003
【図３】
0005057937.tif 000004